【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
車両の乗員が視認可能な表示部に表示されるコンテンツの画像を、前記車両が走行路を曲がる場合に、曲がる前の表示位置に対して前記車両が曲がる方向と同じ方向側に表示させる制御部を備える表示制御装置。
【請求項２】
前記制御部は、
前記表示部に表示されるコンテンツの画像を前記車両が曲がる方向と同じ方向に変化させる請求項１に記載の表示制御装置。
【請求項３】
前記制御部は、
ステアリングの舵角に応じて前記コンテンツの画像に変化を与える請求項２に記載の表示制御装置。
【請求項４】
前記コンテンツは前記車両に関する情報であって、
前記制御部は、
前記表示部において前記情報の画像を前記同じ方向寄りに移動させる請求項１〜３の何れか１項に記載の表示制御装置。
【請求項５】
前記コンテンツの画像は前記走行路を模した対をなすラインであって、
前記制御部は、
対をなす前記ラインの上方を前記同じ方向に曲げる請求項２〜４の何れか１項に記載の表示制御装置。
【請求項６】
前記制御部は、
前記車両がカーブに差し掛かる場合に前記ラインを前記表示部に表示させ、前記車両が前記カーブを通過した場合に前記ラインを前記表示部から消去する請求項５に記載の表示制御装置。
【請求項７】
前記制御部は、
前記車両のクルーズコントロール機能の作動に対応して前記ラインを前記表示部に表示させる請求項５又は６に記載の表示制御装置。
【請求項８】
請求項１〜７の何れか１項に記載の表示制御装置と、
前記表示部と、
を備える車両用表示装置。
【請求項９】
前記表示部は、
メータディスプレイに設けられる第一表示部と、
ヘッドアップディスプレイの投影面に設けられ、前記乗員の目線において前記第一表示部の上方に隣接して表示される第二表示部と、を有し、
前記表示部は、
前記第一表示部から前記第二表示部にかけて対をなす前記ラインを連続するように表示させる請求項５〜７の何れか１項に記載の表示制御装置を引用する請求項８に記載の車両用表示装置。
【請求項１０】
車両の乗員が視認可能な表示部に表示されるコンテンツの画像を、前記車両が走行路を曲がる場合に、曲がる前の表示位置に対して前記車両が曲がる方向と同じ方向側に表示させる処理をコンピュータが実行する表示制御方法。
【請求項１１】
車両の乗員が視認可能な表示部に表示されるコンテンツの画像を、前記車両が走行路を曲がる場合に、曲がる前の表示位置に対して前記車両が曲がる方向と同じ方向側に表示させる処理をコンピュータに実行させるプログラム。
【手続補正２】
【補正対象書類名】明細書
【補正対象項目名】発明の名称
【補正方法】変更
【補正の内容】
【発明の名称】表示制御装置、車両用表示装置、表示制御方法及びプログラム
【手続補正３】
【補正対象書類名】明細書
【補正対象項目名】０００１
【補正方法】変更
【補正の内容】
【０００１】
本発明は、表示制御装置、車両用表示装置、表示制御方法及びプログラムに関する。
【手続補正４】
【補正対象書類名】明細書
【補正対象項目名】０００５
【補正方法】変更
【補正の内容】
【０００５】
本発明は、車両の走行状況を乗員に対して分かりやすく伝えることが可能な表示制御装置、車両用表示装置、表示制御方法及びプログラムを得ることを目的とする。
【手続補正５】
【補正対象書類名】明細書
【補正対象項目名】０００６
【補正方法】変更
【補正の内容】
【０００６】
第１の態様の車両用表示装置は、車両の乗員に視認可能な表示部と、前記表示部に表示されるコンテンツの画像を前記車両の走行路が曲がる方向と同じ方向に変化させる制御部と、を備えている。
【手続補正６】
【補正対象書類名】明細書
【補正対象項目名】０００８
【補正方法】変更
【補正の内容】
【０００８】
第１の態様の車両用表示装置によれば、走行路としてのカーブをこれから通過する場合又はカーブを通過中の場合に、表示部におけるコンテンツの画像を用いて車両の進路を表現することにより、車両の走行状況を乗員に対して分かりやすく伝えることができる。
【手続補正７】
【補正対象書類名】明細書
【補正対象項目名】０００９
【補正方法】変更
【補正の内容】
【０００９】
第２の態様の車両用表示装置では、前記制御部は、ステアリングの舵角に応じて前記コンテンツの画像に変化を与えている。
【手続補正８】
【補正対象書類名】明細書
【補正対象項目名】００１０
【補正方法】変更
【補正の内容】
【００１０】
第２の態様の車両用表示装置によれば、カメラ等を用いてカーブの曲率を検出する場合と比べて、簡易な構成で走行路の変化を把握することができる。
【手続補正９】
【補正対象書類名】明細書
【補正対象項目名】００１１
【補正方法】変更
【補正の内容】
【００１１】
第３の態様の車両用表示装置では、前記コンテンツは前記車両に関する情報であって、前記制御部は、前記表示部において前記情報の画像を前記同じ方向寄りに移動させる。
【手続補正１０】
【補正対象書類名】明細書
【補正対象項目名】００１２
【補正方法】変更
【補正の内容】
【００１２】
第３の態様の車両用表示装置によれば、走行路の曲がる方向と同じ方向にコンテンツの画像を移動させることで、乗員の視線を走行路が曲がる方向に誘導させることができる。
【手続補正１１】
【補正対象書類名】明細書
【補正対象項目名】００１３
【補正方法】変更
【補正の内容】
【００１３】
第４の態様の車両用表示装置では、前記コンテンツの画像は前記走行路を模した対をなすラインであって、前記制御部は、対をなす前記ラインの上方を前記同じ方向に曲げる。
【手続補正１２】
【補正対象書類名】明細書
【補正対象項目名】００１４
【補正方法】変更
【補正の内容】
【００１４】
「走行路を模した対をなすライン」とは、例えば、車幅方向両側の白線及び縁石を模したラインが該当する。「対をなすライン」は、一対の実線に限らず、一対の二重線、一対の点線等、連続する線分であれば、種類は問わない。第４の態様の車両用表示装置によれば、乗員は走行路としてカーブを通過中であることを容易に認識することができる。
【手続補正１３】
【補正対象書類名】明細書
【補正対象項目名】００１５
【補正方法】変更
【補正の内容】
【００１５】
第５の態様の車両用表示装置では、前記表示部は、メータディスプレイに設けられる第一表示部と、ヘッドアップディスプレイの投影面に設けられ、前記乗員の目線において前記第一表示部の上方に隣接して表示される第二表示部と、を有し、前記表示部は、前記第一表示部から前記第二表示部にかけて対をなす前記ラインを連続するように表示させる。
【手続補正１４】
【補正対象書類名】明細書
【補正対象項目名】００１６
【補正方法】変更
【補正の内容】
【００１６】
第５の態様の車両用表示装置によれば、表示部の広範囲に走行路を模したラインを表示させることで、乗員に対してカーブを通過中であることを強く認識させることができる。
【手続補正１５】
【補正対象書類名】明細書
【補正対象項目名】００１７
【補正方法】変更
【補正の内容】
【００１７】
第６の態様の車両用表示装置では、前記制御部は、前記車両がカーブに差し掛かる場合に前記ラインを前記表示部に表示させ、前記車両が前記カーブを通過した場合に前記ラインを前記表示部から消去する。
【手続補正１６】
【補正対象書類名】明細書
【補正対象項目名】００１８
【補正方法】変更
【補正の内容】
【００１８】
第６の態様の車両用表示装置によれば、カーブ通過時には乗員の視線を誘導するものの、カーブ以外では乗員に対して有益な他の情報を提供することができる。
【手続補正１７】
【補正対象書類名】明細書
【補正対象項目名】００１９
【補正方法】変更
【補正の内容】
【００１９】
第７の態様の車両用表示装置では、前記制御部は、前記車両のクルーズコントロール機能の作動に対応して前記ラインを前記表示部に表示する。
【手続補正１８】
【補正対象書類名】明細書
【補正対象項目名】００２０
【補正方法】変更
【補正の内容】
【００２０】
第７の態様の車両用表示装置によれば、車両がカーブを検知していることを乗員に対して報知することができる。